(57)【要約】【構成】撮像装置１６は、カメラ筐体の前方の被写界を表す生画像データを繰り返し出力する。ＣＰＵ３０は、撮像装置１６から出力された生画像データに基づくスルー画像の表示をカメラ筐体の後方に向けられたモニタ画面４０を有するＬＣＤユニット３６に要求する。ＣＰＵ３０はまた、セルフポートレートモードを含む複数の撮像モードのいずれか１つをモード選択操作に応答して選択し、選択された撮像モードに適合する態様で撮像条件を調整する。ＣＰＵ３０はさらに、選択された撮像モードがセルフポートレートモードであるとき、モード選択操作から３秒が経過した後にＬＣＤユニット３６の表示動作を制限する。【効果】操作性を確保しつつ消費電力を削減することができる。【選択図】図２
2011130220.tif 000002
【特許請求の範囲】
【請求項１】
カメラ筐体の前方の被写界を表す画像データを繰り返し出力する撮像手段、
前記撮像手段から出力された画像データに基づく動画像の表示を前記カメラ筐体の後方に向けられた画面を有するモニタに要求する第１要求手段、
自己撮像モードを含む複数の撮像モードのいずれか１つをモード選択操作に応答して選択する選択手段、
前記選択手段によって選択された撮像モードに適合する態様で撮像条件を調整する調整手段、および
前記選択手段によって選択された撮像モードが前記自己撮像モードであるとき前記モード選択操作から第１時間が経過した後に前記モニタの表示動作を制限する制限手段を備える、電子カメラ。
【請求項２】
前記制限手段の制限に関連して前記撮像手段の撮像周期を延長する延長手段をさらに備える、請求項１記載の電子カメラ。
【請求項３】
記録指示に対応して前記撮像手段から出力された画像データに記録処理を施す記録手段、および
前記記録指示から第２時間が経過した後に前記制限手段の制限を解除する第１解除手段をさらに備える、請求項１または２記載の電子カメラ。
【請求項４】
前記記録指示に先立つ別の指示に応答して前記制限手段の制限を解除する第２解除手段をさらに備える、請求項３記載の電子カメラ。
【請求項５】
前記選択手段によって選択された撮像モードに対応するグラフィック画像の表示を前記モニタに要求する第２要求手段をさらに備える、請求項１ないし４のいずれかに記載の電子カメラ。
【請求項６】
カメラ筐体の前方の被写界を表す画像データを繰り返し出力する撮像手段を備える電子カメラのプロセッサに、
前記撮像手段から出力された画像データに基づく動画像の表示を前記カメラ筐体の後方に向けられた画面を有するモニタに要求する要求ステップ、
自己撮像モードを含む複数の撮像モードのいずれか１つをモード選択操作に応答して選択する選択ステップ、
前記選択ステップによって選択された撮像モードに適合する態様で撮像条件を調整する調整ステップ、および
前記選択ステップによって選択された撮像モードが前記自己撮像モードであるとき前記モード選択操作から既定時間が経過した後に前記モニタの表示動作を制限する制限ステップを実行させるための、撮像制御プログラム。
【請求項７】
カメラ筐体の前方の被写界を表す画像データを繰り返し出力する撮像手段を備える電子カメラによって実行される撮像制御方法であって、
前記撮像手段から出力された画像データに基づく動画像の表示を前記カメラ筐体の後方に向けられた画面を有するモニタに要求する要求ステップ、
自己撮像モードを含む複数の撮像モードのいずれか１つをモード選択操作に応答して選択する選択ステップ、
前記選択ステップによって選択された撮像モードに適合する態様で撮像条件を調整する調整ステップ、および
前記選択ステップによって選択された撮像モードが前記自己撮像モードであるとき前記モード選択操作から既定時間が経過した後に前記モニタの表示動作を制限する制限ステップを備える、撮像制御方法。
【発明の詳細な説明】
【技術分野】
【０００１】
この発明は、電子カメラに関し、特に操作者自身を撮影するセルフポートレートモードを有する、電子カメラに関する。
【背景技術】
【０００２】
この種のカメラの一例が、特許文献１に開示されている。この背景技術によれば、セルフポートレートモードが設定されたときには、測距結果および／または測光結果に関わらず、撮影レンズの合焦位置や絞り値が固定される。一方、通常の撮影を行うためにセルフポートレートモードを解除すると、測距結果や測光結果が有効化され、撮影レンズの合焦位置や絞り値が通常の被写体の撮影に適した値に設定される。これによって、画質を被写体に応じて適応的に調整することができる。
【先行技術文献】
【特許文献】
【０００３】
【特許文献１】特開２０００−３０５１３３号公報
【発明の概要】
【発明が解決しようとする課題】
【０００４】
しかし、背景技術は、被写界を表すリアルタイム動画像をＬＣＤ表示パネルに表示することを想定しておらず、ＬＣＤ表示パネルの電力消費量の削減についても何ら開示されていない。
【０００５】
それゆえに、この発明の主たる目的は、操作性を確保しつつ消費電力を削減することができる、電子カメラを提供することである。
【課題を解決するための手段】
【０００６】
この発明に従う電子カメラ(10：実施例で相当する参照符号。以下同じ)は、カメラ筐体(CB1)の前方の被写界を表す画像データを繰り返し出力する撮像手段(16)、撮像手段から出力された画像データに基づく動画像の表示をカメラ筐体(CB1)の後方に向けられた画面を有するモニタ(36)に要求する第１要求手段(S1)、自己撮像モードを含む複数の撮像モードのいずれか１つをモード選択操作に応答して選択する選択手段(S21~S23, S27~S33)、選択手段によって選択された撮像モードに適合する態様で撮像条件を調整する調整手段(S5~S9)、および選択手段によって選択された撮像モードが自己撮像モードであるときモード選択操作から第１時間が経過した後にモニタの表示動作を制限する制限手段(S57)を備える。
【０００７】
好ましくは、制限手段の制限に関連して撮像手段の撮像周期を延長する延長手段(S55)がさらに備えられる。
【０００８】
好ましくは、記録指示に対応して撮像手段から出力された画像データに記録処理を施す記録手段(S15)、および記録指示から第２時間が経過した後に制限手段の制限を解除する第１解除手段(S63)がさらに備えられる。
【０００９】
さらに好ましくは、記録指示に先立つ別の指示に応答して制限手段の制限を解除する第２解除手段(S61)がさらに備えられる。
【００１０】
好ましくは、選択手段によって選択された撮像モードに対応するグラフィック画像の表示をモニタに要求する第２要求手段(S25, S35)がさらに備えられる。
【００１１】
この発明に従う撮像制御プログラムは、カメラ筐体(CB1)の前方の被写界を表す画像データを繰り返し出力する撮像手段(16)を備える電子カメラ(10)のプロセッサ(30)に、撮像手段から出力された画像データに基づく動画像の表示をカメラ筐体(CB1)の後方に向けられた画面を有するモニタ(36)に要求する要求ステップ(S1)、自己撮像モードを含む複数の撮像モードのいずれか１つをモード選択操作に応答して選択する選択ステップ(S21~S23, S27~S33)、選択ステップによって選択された撮像モードに適合する態様で撮像条件を調整する調整ステップ(S5~S9)、および選択ステップによって選択された撮像モードが自己撮像モードであるときモード選択操作から既定時間が経過した後にモニタの表示動作を制限する制限ステップ(S57)を実行させるための、撮像制御プログラムである。
【００１２】
この発明に従う撮像制御方法は、カメラ筐体(CB1)の前方の被写界を表す画像データを繰り返し出力する撮像手段(16)を備える電子カメラ(10)によって実行される撮像制御方法であって、撮像手段から出力された画像データに基づく動画像の表示をカメラ筐体(CB1)の後方に向けられた画面を有するモニタ(36)に要求する要求ステップ(S1)、自己撮像モードを含む複数の撮像モードのいずれか１つをモード選択操作に応答して選択する選択ステップ(S21~S23, S27~S33)、選択ステップによって選択された撮像モードに適合する態様で撮像条件を調整する調整ステップ(S5~S9)、および選択ステップによって選択された撮像モードが自己撮像モードであるときモード選択操作から既定時間が経過した後にモニタの表示動作を制限する制限ステップ(S57)を備える。
【発明の効果】
【００１３】
この発明によれば、被写界を表す動画像は、自己撮像モードが選択されてから第１時間が経過するまでは、モニタの画面に表示される。操作者は、モニタの表示動作に違和感を覚えることなく撮像動作に移行する。また、モニタの表示動作は、第１時間が経過した時点で制限される。このため、不要な表示動作が抑制される。こうして、操作性を確保しつつ消費電力を削減することができる。
【００１４】
この発明の上述の目的，その他の目的，特徴および利点は、図面を参照して行う以下の実施例の詳細な説明から一層明らかとなろう。
【図面の簡単な説明】
【００１５】
【図１】この発明の基本的構成を示すブロック図である。
【図２】この発明の一実施例の構成を示すブロック図である。
【図３】（Ａ）は通常モードを示すアイコンの表示状態を示す図解図であり、（Ｂ）はセルフポートレートモードを示すアイコンの表示状態を示す図解図である。
【図４】撮像面における評価エリアの割り当て状態の一例を示す図解図である。
【図５】（Ａ）は図２実施例を前方から眺めた状態を示す図解図であり、（Ｂ）は図２実施例を後方から眺めた状態を示す図解図である。
【図６】図２実施例に適用されるＣＰＵの動作の一部を示すフロー図である。
【図７】図２実施例に適用されるＣＰＵの動作の他の一部を示すフロー図である。
【図８】図２実施例に適用されるＣＰＵの動作のその他の一部を示すフロー図である。
【発明を実施するための形態】
【００１６】
以下、この発明の実施の形態を図面を参照しながら説明する。
［基本的構成］
【００１７】
図１を参照して、この発明の電子カメラは、基本的に次のように構成される。撮像手段１は、カメラ筐体の前方の被写界を表す画像データを繰り返し出力する。第１要求手段２は、撮像手段１から出力された画像データに基づく動画像の表示をカメラ筐体の後方に向けられた画面を有するモニタ６に要求する。選択手段３は、自己撮像モードを含む複数の撮像モードのいずれか１つをモード選択操作に応答して選択する。調整手段４は、選択手段３によって選択された撮像モードに適合する態様で撮像条件を調整する。制限手段５は、選択手段３によって選択された撮像モードが自己撮像モードであるときモード選択操作から第１時間が経過した後にモニタ６の表示動作を制限する。
【００１８】
被写界を表す動画像は、自己撮像モードが選択されてから第１時間が経過するまでは、モニタ６の画面に表示される。操作者は、モニタ６の表示動作に違和感を覚えることなく撮像動作に移行する。また、モニタ６の表示動作は、第１時間が経過した時点で制限される。このため、不要な表示動作が抑制される。こうして、操作性を確保しつつ消費電力を削減することができる。
［実施例］
【００１９】
図２を参照して、この実施例のディジタルカメラ１０は、ドライバ１８ａおよび１８ｂによってそれぞれ駆動されるフォーカスレンズ１２および絞り機構１４を含む。フォーカスレンズ１２および絞り機構１４を経た被写界の光学像は、撮像装置１６の撮像面に照射され、光電変換を施される。これによって、被写界像を表す電荷が生成される。
【００２０】
電源が投入されると、ＣＰＵ３０は、設定制御タスクの下で、ＳＧ(Signal Generator)２０から出力される垂直同期信号Ｖｓｙｎｃの周期を１／６０秒に設定するとともに、ＬＣＤユニット３６をオンする。ＣＰＵ３０はまた、撮像タスクの下で動画取り込み処理を実行するべく、ドライバ１８ｃにプリ露光動作および間引き読み出し動作の繰り返しを命令する。
【００２１】
ドライバ１８ｃは、ＳＧ２０から出力された垂直同期信号Ｖｓｙｎｃに応答して、撮像面にプリ露光を施し、かつ撮像面で生成された電荷の一部をラスタ走査態様で読み出す。撮像装置１６からは、読み出された電荷に基づく生画像データが、６０ｆｐｓのフレームレートで出力される。
【００２２】
信号処理回路２２は、撮像装置１６から出力された生画像データに白バランス調整，色分離，ＹＵＶ変換などの処理を施し、これによって作成されたＹＵＶ形式の画像データをメモリ制御回路３２を通してＳＤＲＡＭ３４に書き込む。ＬＣＤユニット３６を構成するＬＣＤドライバ３８は、ＳＤＲＡＭ３４に書き込まれた画像データをメモリ制御回路３２を通して繰り返し読み出し、読み出された画像データに基づくリアルタイム動画像をモニタ画面４０に表示する。
【００２３】
撮像モードは、キー入力装置２８に設けられたモード切換スイッチ２８ｍの操作に応答して、通常モードとセルフポートレートモード（自己撮像モード）との間で切換えられる。ＣＰＵ３０は、選択された撮像モードに対応するグラフィック画像データの出力を、モード制御タスクの下でグラフィックジェネレータ４６に要求する。
【００２４】
ＬＣＤドライバ３８は、ＣＰＵ３０からの要求に応答してグラフィックジェネレータ４６から出力されたグラフィック画像データに基づいて、撮像モードを識別するアイコンをモニタ画面４０に表示する。この結果、通常モードが選択されたときは、アイコンＩＣ１が図３（Ａ）に示す要領でモニタ画面４０に表示される。また、セルフポートレートモードが選択されたときは、アイコンＩＣ２が図３（Ｂ）に示す要領でモニタ画面４０に表示される。
【００２５】
図４を参照して、撮像面の中央には評価エリアＥＶＡが割り当てられる。評価エリアＥＶＡは、垂直方向および水平方向の各々において１６分割される。つまり、評価エリアＥＶＡは、合計２５６個の分割エリアの集合に相当する。
【００２６】
輝度評価回路２４は、信号処理回路２２から出力されたＹデータのうち評価エリアＥＶＡに属するＹデータを、垂直同期信号Ｖｓｙｎｃに応答して分割エリア毎に積分する。この結果、２５６個の分割エリアにそれぞれ対応する２５６個のＡＥ評価値が、垂直同期信号Ｖｓｙｎｃに応答してＡＥ評価回路２４から出力される。
【００２７】
ＡＦ評価回路２６は、信号処理回路２２から出力されたＹデータのうち評価エリアＥＶＡに属するＹデータの高域周波数成分を垂直同期信号Ｖｓｙｎｃに応答して分割エリア毎に積分する。これによって、２５６個の分割エリアにそれぞれ対応する２５６個のＡＦ評価値が、垂直同期信号Ｖｓｙｎｃに応答してＡＦ評価回路２６から出力される。
【００２８】
キー入力装置２８に設けられたシャッタボタン２８ｍは、状態ＳＴ０〜ＳＴ３の間で遷移する。状態ＳＴ０は非操作状態に相当し、状態ＳＴ１はシャッタボタン半押し状態に相当し、状態ＳＴ２はシャッタボタン全押し状態に相当する。シャッタボタン２８ｍの状態が“ＳＴ０”であるとき、ＣＰＵ３０は、輝度評価回路２４から出力された２５６個の輝度評価値に基づいて適正ＥＶ値を算出するべく、撮像タスクの下で簡易ＡＥ処理を繰り返し実行する。算出された適正ＥＶ値を定義する絞り量および露光時間は、ドライバ１８ｂおよび１８ｃにそれぞれ設定される。この結果、ＬＣＤモニタ３８に表示されるスルー画像の明るさが適度に調整される。
【００２９】
シャッタボタン２８ｍの状態が“ＳＴ１”に遷移すると、ＣＰＵ３０は、輝度評価回路２４から出力された２５６個の輝度評価値に基づいて最適ＥＶ値を算出するべく、撮像タスクの下で厳格ＡＥ処理を実行する。算出された最適ＥＶ値を定義する絞り量および露光時間は、上述と同様、ドライバ１８ｂおよび１８ｃにそれぞれ設定される。
【００３０】
ＣＰＵ３０は続いて、撮像タスクの下でＡＦ処理を実行する。フォーカスレンズ１２は光軸方向に移動され、フォーカス評価回路２６から出力された２５６個のＡＦ評価値はフォーカスレンズ１２の移動処理と並列して繰り返し取り込まれる。合焦点は取り込まれたＡＦ評価値に基づいて探索され、フォーカスレンズ１２は発見された合焦点に配置される。
【００３１】
ＣＰＵ３０は、通常モードが設定されたとき、通常モードに対応するＡＥ基準およびＡＦ基準をモード制御タスクの下で選択する。ＣＰＵ３０はまた、セルフポートレートモードが設定されたとき、セルフポートレートモードに対応するＡＥ基準およびＡＦ基準をモード制御タスクの下で選択する。簡易ＡＥ処理および厳格ＡＥ処理は選択されたＡＥ基準に沿って実行され、ＡＦ処理は選択されたＡＦ基準に沿って実行される。
【００３２】
シャッタボタン２８ｍの状態が“ＳＴ２”に遷移すると、記録処理が実行される。ＣＰＵ３０は、本露光動作および全画素読み出しを１回ずつ実行することをドライバ１８ｃに命令する。ドライバ１８ｃは、垂直同期信号Ｖｓｙｎｃの発生に応答して撮像面に本露光を施し、撮像面で生成された全ての電荷をラスタ走査態様で読み出す。この結果、被写界を表す高解像度の生画像データが撮像装置１６から出力される。
【００３３】
出力された生画像データは上述と同様の処理を施され、この結果、ＹＵＶ形式に従う高解像度の画像データがＳＤＲＡＭ３４に確保される。Ｉ／Ｆ４０は、こうしてＳＤＲＡＭ３４に格納された高解像度の画像データをメモリ制御回路３２を通して読み出し、読み出された画像データをファイル形式で記録媒体４２に記録する。なお、動画取込み処理は、高解像度の画像データがＳＤＲＡＭ３４に格納された時点で再開される。
【００３４】
図５（Ａ）〜図５（Ｂ）を参照して、撮像装置１６は撮像面がカメラ筐体ＣＢ１の前方の被写界を捉えるように設けられ、ＬＣＤユニット３６はモニタ画面４０がカメラ筐体ＣＢ１の後方を向くように設けられる。セルフポートレートモードは操作者の顔を撮影するためのモードであるため、セルフポートレートモードが選択された後に撮像面が操作者の顔に向けられると、操作者がモニタ画面４０を視認することはできなくなる。この状態でのＬＣＤユニット３６への給電は、電力の浪費につながる。
【００３５】
その一方で、セルフポートレートモードの選択と同時にＬＣＤユニット３６をオフすると、操作者はＬＣＤユニット３６の表示動作に違和感を覚える。また、セルフポートレートを示すアイコンＩＣ２がモニタ画面４０に表示されないため、操作性の低下を引き起こす。
【００３６】
そこで、ＣＰＵ３０は、撮像モードがセルフポートレートモードに切り換えられたとき、設定制御タスクの下でタイマＴＭ１のリセット＆スタートを実行し、タイマＴＭ１のタイムアウトに応答してＬＣＤユニット３６をオフする。ここで、タイマＴＭ１にタイムアウトが生じるまでの時間は、たとえば３秒である。
【００３７】
操作者は、セルフポートレートへの切り換えをアイコンＩＣ２の表示によって確認し、その後に撮像面を操作者の顔に向ける。ＬＣＤユニット３６はその後にオフされる。これによって、操作性を確保しつつ消費電力を削減することができる。
【００３８】
なお、セルフポートレートモードでは、シャッタチャンスを重視する必要性が低い。そこで、ＣＰＵ３０は、タイマＴＭ１にタイムアウトが生じたとき、ＬＣＤユニット３６のオフに加えて、ＳＧ２０から出力される垂直同期信号Ｖｓｙｎｃの周期を１／６０秒から１／３０秒に延長する。これによって、消費電力のさらなる削減が可能となる。
【００３９】
こうして変更されたＬＣＤユニット３６およびＳＧ２０の設定は、シャッタボタン２８ｓの状態が“ＳＴ２”に移行してから０．５秒後に元に戻され、或いはモード切り換え操作に応答して速やかに元に戻される。これによって、操作性が確保される。
【００４０】
ＣＰＵ３０は、図６〜図８に示す撮像タスクに従う処理を実行する。この撮像タスクに対応する制御プログラムは、フラッシュメモリ４６に記憶される。
【００４１】
図６を参照して、ステップＳ１では動画取込み処理を実行する。この結果、被写界を表すリアルタイム動画像がモニタ画面４０に表示される。ステップＳ３ではシャッタボタン２８ｓの状態が“ＳＴ０”であるか否かを判別し、判別結果がＹＥＳである限り、ステップＳ３の簡易ＡＥ処理を繰り返す。この結果、スルー画像の明るさが適度に調整される。
【００４２】
シャッタボタン２８ｓの状態が“ＳＴ１”または“ＳＴ２”に移行すると、ステップＳ７で厳格ＡＥ処理を実行し、ステップＳ９でＡＦ処理を実行する。ステップＳ７の処理によってスルー画像の明るさが厳格に調整され、ステップＳ９の処理によってフォーカスレンズ１２が合焦点に配置される。
【００４３】
ステップＳ１１ではシャッタボタン２８ｓの状態が“ＳＴ２”であるか否かを判別し、ステップＳ１３ではシャッタボタン２８ｓの状態が“ＳＴ１”であるか否かを判別する。ステップＳ１１でＹＥＳであれば、ステップＳ１５で記録処理を実行し、ステップＳ１７で動画取込み処理を再開してから、ステップＳ３に戻る。ステップＳ１３でＮＯであれば、そのままステップＳ３に戻る。ステップＳ１３でＹＥＳであればステップＳ１１に戻る。
【００４４】
図７を参照して、ステップＳ２１では通常モードに対応するＡＥ基準を選択し、ステップＳ２３では通常モードに対応するＡＦ基準を選択する。この結果、ステップＳ５の簡易ＡＥ処理およびステップＳＳ７の厳格ＡＥ処理は、通常モードに対応するＡＥ基準に沿って実行される。また、ステップＳ９のＡＦ処理は、通常モードに対応するＡＦ基準に沿って実行される。ステップＳ２５では、通常モードに対応するグラフィック画像データの出力をグラフィックジェネレータ４４に要求する。この結果、アイコンＩＣ１が図３（Ａ）に示す要領でモニタ画面４０に表示される。
【００４５】
ステップＳ２７では、モード切り換え操作が行われたか否かを判別する。判別結果がＮＯからＹＥＳに更新されると、切り換え後の撮像モードがセルフポートレートモードであるか否かを判別する。判別結果がＮＯであればステップＳ２１に戻り、判別結果がＹＥＳであればステップＳ３１に進む。
【００４６】
ステップＳ３１ではセルフポートレートモードに対応するＡＥ基準を選択し、ステップＳ３３ではセルフポートレートモードに対応するＡＦ基準を選択する。この結果、ステップＳ５の簡易ＡＥ処理およびステップＳＳ７の厳格ＡＥ処理は、セルフポートレートモードに対応するＡＥ基準に沿って実行される。また、ステップＳ９のＡＦ処理は、セルフポートレートモードに対応するＡＦ基準に沿って実行される。ステップＳ３５では、セルフポートレートモードに対応するグラフィック画像データの出力をグラフィックジェネレータ４４に要求する。この結果、アイコンＩＣ２が図３（Ｂ）に示す要領でモニタ画面４０に表示される。ステップＳ３５の処理が完了すると、ステップＳ２７に戻る。
【００４７】
図８を参照して、ステップＳ４１では垂直同期信号Ｖｓｙｎｃの発生周期を１／６０秒に設定し、ステップＳ４３ではＬＣＤユニット３６をオンする。撮像装置１６からは６０ｆｐｓのフレームレートで生画像データが出力され、モニタ画面４０には出力された生画像データに基づくリアルタイム動画像が表示される。
【００４８】
ステップＳ４５では、セルフポートレートモードが選択されたか否かを繰り返し判別する。判別結果がＮＯからＹＥＳに更新されると、ステップＳ４７でタイマＴＭ１のリセット＆スタートを実行する。ステップＳ４９ではタイマＴＭ１にタイムアウトが生じたか否か（３秒が経過したか否か）を判別し、ステップＳ５１ではモード切り換え操作が行われたか否かを判別する。タイムアウトが生じる前にモード切り換え操作が実行されると、ステップＳ５１でＹＥＳと判断し、ステップＳ５３でタイマＴＭ１をストップしてからステップＳ４５に戻る。
【００４９】
モード切り換え操作が行われる前にタイムアウトが生じると、ステップＳ４９でＹＥＳと判断し、ステップＳ５５で垂直同期信号Ｖｓｙｎｃの発生周期を１／３０秒に設定するとともに、ステップＳ５７でＬＣＤモニタ３８をオフする。この結果、撮像装置１６から出力される生画像データのフレームレートが６０ｆｐｓから３０ｆｐｓに低減し、生画像データに基づくスルー画像の表示が中断される。
【００５０】
ステップＳ５９ではシャッタボタン２８ｓの状態が“ＳＴ２”に移行したか否かを判別し、ステップＳ６１ではモード切り換え操作が行われたか否かを判別する。ステップＳ５９でＹＥＳであれば、ステップＳ６３で０．５秒待機し、その後にステップＳ４１に戻る。一方、ステップＳ６１でＹＥＳであれば、そのままステップＳ４１に戻る。
【００５１】
以上の説明から分かるように、撮像装置１６は、カメラ筐体ＣＢ１の前方の被写界を表す生画像データを繰り返し出力する。ＣＰＵ３０は、撮像装置１６から出力された生画像データに基づくスルー画像の表示をカメラ筐体ＣＢ１の後方に向けられたモニタ画面４０を有するＬＣＤユニット３６に要求する。ＣＰＵ３０はまた、セルフポートレートモードを含む複数の撮像モードのいずれか１つをモード選択操作に応答して選択し(S21~S23, S27~S33)、選択された撮像モードに適合する態様で撮像条件を調整する(S5~S9)。ＣＰＵ３０はさらに、選択された撮像モードがセルフポートレートモードであるとき、モード選択操作から３秒が経過した後にＬＣＤユニット３６の表示動作を制限する(S57)。
【００５２】
被写界を表す動画像は、セルフポートレートモードが選択されてから３秒が経過するまでは、モニタ画面４０に表示される。操作者は、ＬＣＤユニット３６の表示動作に違和感を覚えることなく撮像動作に移行する。また、ＬＣＤユニット３６の表示動作は、３秒が経過した時点で制限される。このため、不要な表示動作が抑制される。こうして、操作性を確保しつつ消費電力を削減することができる。
【００５３】
なお、この実施例では、ＳＧ２０およびＬＣＤユニット３６の設定が変更された後のモード切り換え操作に応答して速やかに設定を元に戻るようにしている（図８のステップＳ６１参照）。しかし、モード切り換え操作と異なる操作（ただし、シャッタボタン２８ｍの操作は除く）に応答して、速やかに設定を元に戻すようにしても良い。
【符号の説明】
【００５４】
１０  …ディジタルカメラ
１２  …フォーカスレンズ
１６  …撮像装置
２４  …輝度評価回路
２６  …ＡＦ評価回路
３０  …ＣＰＵ
４４  …フラッシュメモリ
【図１】
2011130220.tif 000003
【図２】
2011130220.tif 000004
【図３】
2011130220.tif 000005
【図４】
2011130220.tif 000006
【図５】
2011130220.tif 000007
【図６】
2011130220.tif 000008
【図７】
2011130220.tif 000009
【図８】
2011130220.tif 000010